(57)【要約】【課題】離れた相手にも容易にダメージを与えることのできる防犯噴射器を提供する。【解決手段】防犯噴射器を、密閉可能で、蓄圧ガスと液状であって非致死性ダメージ成分含有組成物とが充填された容器２と、前記蓄圧ガスにより、前記組成物を前記容器から噴射可能とする噴射手段１２、とを備える構成とする。さらに、前記蓄圧ガスは、０．７ＭＰａ以上３．０ＭＰａ以下で充填されている。【選択図】図１
2004191023.tif 000002
【特許請求の範囲】
【請求項１】
防犯蓄圧式噴射器であって、
密閉可能で、蓄圧ガスと液状であって非致死性ダメージ成分含有組成物とが充填された容器と、
前記蓄圧ガスにより、前記催涙組成物を前記容器から噴射可能とする噴射手段、
とを備える、噴射器。
【請求項２】
前記蓄圧ガスは、０．７ＭＰａ以上３．０ＭＰａ以下で充填されている、請求項１記載の噴射器。
【請求項３】
前記組成物は、着色料を含有する、請求項１又は２に記載の噴射器。
【請求項４】
前記組成物は香料を含有する、請求項１〜３のいずれかに記載の噴射器。
【請求項５】
前記組成物は不凍液を含有する、請求項１〜４のいずれかに記載の噴射器。
【請求項６】
防犯蓄圧式噴射器であって、
密閉可能で、蓄圧ガスと液状の非致死性ダメージ成分含有組成物とが充填された容器と、
前記蓄圧ガスにより、前記組成物を前記容器から噴射可能とする噴射手段、とを備え、
前記組成物は着色料と香料を含有し、前記蓄圧ガスは、０．７ＭＰａ以上３．０ＭＰａ以下で充填されている、噴射器。
【請求項７】
噴射距離が６ｍ以上の噴射性能を有する、請求項１〜６のいずれかに記載の噴射器。
【発明の詳細な説明】
【０００１】
【発明の属する技術分野】
本発明は、防犯噴射器に関し、特に、ターゲッティング性能を高めた催涙などのダメージ付与を目的とする防犯噴射器に関する。
【０００２】
【従来の技術】
犯罪発生時やその捜査時あるいは自己を防護するために、適時、相手に適当なダメージを与える必要がある。このような場合に使用するものとして、従来から、唐辛子エキスなどを含む防犯スプレーが提供されている。
例えば、ＬＰＧなどの噴射剤とともに撃退用成分を溶解した可燃性溶剤をスプレー缶に充填したもの（特許文献１、特許請求の範囲請求項１等）や、直圧式のスプレー缶に液体の催涙水溶液を充填するものがある（特許文献２、特許請求の範囲、「００１４」等）。
【０００３】
【特許文献１】
特開２００２−１１７２
【特許文献２】
特開２００２−６２０９２
【０００４】
【発明が解決しようとする課題】
しかしながら、かかるスプレー類では、至近距離にいる相手には有効であったが、数メートル以上離れた相手には有効成分が到達しないため、実質的なダメージを与えることができなかった。さらに、霧状にスプレーされる場合、拡散範囲が広いため、噴射距離が短くても数十メートル四方の広範囲に影響を及ぼし、特に、室内での使用時には、相手のみならず自分自身を含む周囲の人にもダメージを与える恐れがある。また、３メートル以上離れた位置の相手を標的とする場合、相手に到達する前に拡散してしまい、ダメージを及ぼすことができない。加えて、屋外では風などの影響により、かえって自分が被害をこうむる可能性もある。
一方、離れた相手に適用する適用する犯罪捜査用の物品として投てき用マーキング物品があるが、誰でもが容易に相手に当該物品を当てることができるわけでなく、また、マーキング物品は基本的に追跡や特徴付けを目的としているものであり、相手にダメージを与えることはできなかった。
以上のことから、目標とする相手にのみダメージを与え、相手からの攻撃を回避し安全を確保して警察等への通報時間を十分に確保できるような噴射器が望まれていた。
そこで、本発明では、離れた相手にも確実にダメージを与えることのできる防犯噴射器を提供することを目的とする。
【０００５】
【課題を解決するための手段】
本発明者は、従来の噴射器について種々の検討を行ったところ、特に、噴射軌跡を直線化することで飛距離と指向性とを高めてターゲティング性能を確保すること、及び噴射圧力を高めることで、相手に当たったときの衝撃により組成物が飛散し、ダメージ付与成分が相手に有効に作用することを見出し、本発明を完成した。
さらに、このようなターゲティング性能と組成物の飛散性に着目して、当該組成物に着色料や香料などのマーキング成分を含ませることにより優れたマーキング効果を得られることも見出した。
すなわち、本発明によれば、以下の手段が提供される。
【０００６】
（１）防犯蓄圧式噴射器であって、
密閉可能で、蓄圧ガスと液状であって非致死性ダメージ成分含有組成物とが充填された容器と、
前記蓄圧ガスにより、前記組成物を前記容器から噴射可能とする噴射手段、
とを備える、噴射器。
（２）前記蓄圧ガスは、０．７ＭＰａ以上３．０ＭＰａ以下で充填されている、（１）記載の噴射器。
（３）前記組成物は、着色料を含有する、（１）又は（２）に記載の噴射器。
（４）前記組成物は香料を含有する、（１）〜（３）のいずれかに記載の噴射器。
（５）前記組成物は不凍液を含有する、（１）〜（４）のいずれかに記載の噴射器。
（６）防犯蓄圧式噴射器であって、
密閉可能で蓄圧ガスと液状の非致死性ダメージ成分含有組成物が充填された容器と、
前記蓄圧ガスにより、前記組成物を前記容器から噴射可能とする噴射手段、とを備え、
前記組成物は着色料と香料を含有し、前記蓄圧ガスは、０．７ＭＰａ以上３．０ＭＰａ以下で充填されている、噴射器。
（７）噴射距離が６ｍ以上の噴射性能を有する、（１）〜（６）のいずれかに記載の噴射器。
【０００７】
本発明の防犯蓄圧式噴射器は、密閉可能で、蓄圧ガスと液状であって非致死性ダメージ成分含有組成物とが充填された容器と、前記蓄圧ガスにより、前記組成物を前記容器から噴射可能とする噴射手段、とを備えている。
以下、本防犯噴射器について、適宜図面を参照しながら詳細に説明する。なお、図１に本噴射器の一形態を例示したが、本噴射器を当該形態に限定する趣旨でない。
【０００８】
（容器）
本蓄圧噴射器に用いる容器２は、密閉可能であって、しかも蓄圧ガスを充填可能に構成されている。蓄圧ガスを充填保持する程度の強度は、例えば、容器２を金属製とすることで容易に実現できる。金属の種類は、鉄、ステンレス、アルミなど公知で入手容易な金属を適宜選択して用いることができる。
【０００９】
容器２には、蓄圧ガスやダメージ付与成分含有組成物を充填、補充可能な開口部を有し、当該開口部は、開閉可能に形成されている。通常、開口部には、内部の組成物の噴射を可能とする噴射手段１２が装着されており、当該噴射手段１２が開口部に対して脱着可能に形成されている。
【００１０】
容器２の形状や大きさは特に限定しないが、操作時の取り扱い等を考慮すると、容器容量が１〜２Ｌ程度であるこが好ましく、例えば、細長い筒状体あるいは球状体とすることができる。筒状体は外径が３０〜１５０ｍｍ程度で高さが１００〜４００ｍｍ程度とすることができる。また、球状体は外径が１００〜２００ｍｍ程度とすることができる。
【００１１】
（噴射手段）
噴射手段１２は、容器２の内部に充填される組成物を同時に容器２に充填される蓄圧ガスの圧力により容器外部に噴射させる手段である。
噴射手段１２は、特に限定しないで各種公知の形態を採用することができる。図１に示す形態においては、容器２の内部においておおよそその底部にまで到達して液状の組成物を噴射側へと送る導出管１４と、導出管１４に連続するノズル１６と、導出管１４を通過する組成物のノズル側への移行と停止とを切り換えるバルブ１８と当該バルブ１８を操作するレバー２０とを備えている。
ノズル１６は、拡散を抑えて直線的な噴射軌跡を形成可能に形成されていることが好ましい。すなわち、ノズル１６は、指向性の高い噴射を可能とするような先端形状を備えている。バルブ１８は、常時、すなわち、非使用時は、バネなどの弾性体による作用で導出管１４とノズル１６との連結部位を遮断している。一方、操作レバー２０の把持により、弾性体の弾性力に抗して弾性体を圧縮することにより、バルブ１８に対する作用が解除される。この結果、バルブ１８は、導出管１４を通過しようとする組成物の圧力により解放され、組成物はノズル１６を通過して、容器２の外部に噴射されることになる。
【００１２】
（ダメージ成分含有組成物）
ダメージ成分とは、たとえば、目や鼻や喉などの粘膜部分を刺激し、催涙の他、くしゃみやせきを誘導するような成分である。本組成物においては、当該ダメージ成分は、それ自体致死性がない（致死量が非常に多量）か、あるいは致死量を下回るように含有されている。
かかる成分として、一般的な催涙成分の他、唐辛子、こしょう、タバスコ、酢マスタード等のような調味料や香辛料を挙げることができる。なお、これらのダメージ成分は、粉末であってもエキスであっても液体であっても構わない。このようなダメージ成分は１種あるいは２種以上を組み合わせて用いることができる。好ましくは、唐辛子等を用いる。
【００１３】
本組成物には、ダメージ成分の他、色、匂いなどにより容易に検出可能であって衝突物体に対して残留可能なマーキング成分を含有することもできる。マーキング成分も同時に含有させることにより、本噴射器の利点を有効利用でき、しかも犯罪捜査等に高い効果を得ることができる。なお、ダメージ成分を含まないマーキング成分含有組成物を本容器２に充填してマーキング用噴射器とすることもできる。
【００１４】
マーキング成分としての着色料は、染料あるいは顔料とすることができる。染料及び顔料をそのまま使用することもできるし、水性あるいは油性塗料等として販売されているものを使用することもできる。塗料を用いる場合、好ましくは、水性塗料である。
着色料による色は、好ましくは、黄色、赤色、緑色、オレンジ色などの明色とする。また、好ましくは、別途蛍光剤を併用するか、蛍光着色料を用いる。蛍光剤あるいは蛍光着色料の使用により暗中においても容易にマーキング能力を発揮することができる。なお、本組成物において、着色料は、塗料という複合的形態で含まれることが多い。
また、皮膚表面に存在する生体物質と反応して呈色する試薬などもマーキング成分として用いることができる。例えば、タンパク質と反応するニンヒドリン試薬などを使用することができる。
【００１５】
匂いを付与するマーキング成分としては、各種香料を用いることができる。香料は、ヒトのみならず警察犬などを利用した追跡に効果を発揮する。香料の種類は特に限定しないが、一般に使用されているものと区別が容易であることが好ましい。好ましくは、刺激性のある香料や異臭性のある香料である。具体的には、刺激臭を有する香料としては、植物由来の甘草（カンゾウ）、益智（ヤクチ）、生姜（ショウキュウ）等の薬草や、木香（モッコウ）、丁字（チョウジ）等の香辛料を用いることができる。また、異臭性のある香料としては、桂皮（ケイヒ）等を挙げることができる。これらの香料は、液状、粉末、粒状のいずれであってもよい。香料は、１種あるいは２種以上を組み合わせて用いることができる。２種以上の組み合わせとすることにより、検出性を高めることができる。
【００１６】
本組成物は、少なくとも１つのダメージ成分を含有していればよいが、好ましくは、着色料を含有し、さらに好ましくは、着色料と香料とを含有している。
本組成物は液状である。本組成物に含まれる液状の媒体としては、特に限定しないが、水、アルコールなどの安全性が高い溶媒を使用することが好ましい。また、着色料として塗料を用いる場合、塗料のビヒクルも結果的に本組成物の液状媒体の一成分となる。
また、本組成物には、エチレングリコールなどのアルコール類を含む各種不凍液を媒体の一部あるいは全部とすることができる。この場合、寒冷地や寒冷期における使用時においても、確実にターゲティング能力を確保することができる。
本組成物には、界面活性剤を含めることができる。界面活性剤は主として組成物の粘度を一定以上に維持するために使用される。
【００１７】
本組成物においては、上記した各成分を、以下のような配合比で調製することができる。例えば、唐辛子エキス（あるいは粉）などの刺激成分３０〜６０重量部、アルコール類などの不凍液３０〜６０重量部、水５〜１５重量部、着色染料などの着色料１〜５重量部及び香料０．００５〜０．０１重量部とすることができる。
【００１８】
（蓄圧ガス）
ガスとしては、安全性の高いガスであることが好ましい。例えば、空気や炭酸ガスの他、窒素ガス等の不活性ガスとすることができる。好ましくは、空気である。蓄圧ガスは、空気等のガスが圧縮されて容器２に充填されることにより、容器２内に存在されることになる。当該ガスの充填圧力は、０．７ＭＰａ以上３．０ＭＰａ以下であることが好ましい。０．７ＭＰａ未満であると指向性の高い噴射が困難となり、３．０ＭＰａを越えると容器の耐圧性を確保するのが困難となるからである。
本噴射器においては、噴射距離が６ｍ以上であることが好ましい。６ｍ未満であると、逃走する相手に対し有効でないとともに、近寄ってくる相手に対して安全を確保しながら噴射することができない。また、上限は１５ｍ程度とすることが好ましい。１５ｍを超えると相手に当てるのが困難になるからである。
【００１９】
本発明の噴射器は、本組成物を容器２に充填に付随して若しくは充填後にガスを充填することによって得ることができる。
組成物を一部あるいは全部使用した場合には、本組成物及び／又はガスを補充あるいは再充填する必要がある。本噴射器においては、組成物やガスの提示充填が可能な構成となっていることが好ましい。密閉容器に対する液状体の充填やガスの封入に関しては、従来公知の方法を採用することができる。
【００２０】
次に、本噴射器の使用方法について説明する。本噴射器の使用形態の典型例としては、犯行に及んでいる相手あるいは逃走する相手を狙って組成物を噴射させる。本噴射器においては、圧縮ガスによる蓄圧式であり、かつ指向性の高い噴射を実現することができるため、相手の顔などをめがけて、一直線に正確に狙うことができる。また、かかる噴射の圧力そのものによっても強い衝撃を相手に与えることができる。
また、噴射された相手に到達した組成物は、直接相手の口腔、鼻腔、眼等の粘膜に付着され、適当なダメージを付与する。一方、衝撃の反動で周囲に飛散することにより二次的に口、鼻、目等の粘膜に付着され、また、鼻腔や口腔等に吸引され、ダメージを付与する。さらに、マーキング成分が含有されているときには、直接あるいは二次的に相手の表面に付着し、相手をマーキングすることができる。
このように本噴射器によれば、高いターゲティング性を有していることから、一次ダメージと二次ダメージとを生じさせて相乗的にダメージを増大させることができる。
以上のことから、相手にダメージを与えて身の安全を確保して、警察への通報などの時間を十分確保することができる。
また、本噴射器は、離れた距離から操作可能であるので、犯罪遭遇時あるいは犯罪の危機が迫ろうとする時に、自分の身の安全性が高くなっている。
【００２１】
なお、本発明の噴射器は防犯噴射器としたが、本明細書において防犯噴射器とは、本噴射器の用途を犯罪予防に限定する趣旨でなく、犯罪予防用途の他、犯罪発生時の攻撃及び防御用途、及び犯罪捜査時の攻撃及び防御用途を包含している。なお、マーキング成分を含有するときには、特に追跡用途も包含することになる。
【００２２】
【発明の効果】
本発明によれば、離れた相手にも確実にダメージを与えることのできる防犯噴射器を提供することができる。
【図面の簡単な説明】
【図１】本発明の防犯噴射器の一実施形態を示す図である。
【符号の説明】
２  容器
１２  噴射手段
１４  導出管
１６  ノズル
１８  バルブ
２０  操作レバー
【図１】
2004191023.tif 000003